(57)【要約】  複数の水平磁気共鳴イメージングシステム（複数のＭＲＩ）のための複数の傾斜コイル集合体及びそれらの製造の複数の方法。いくつかの実施形態は、複数のオープンＭＲＩを用いて使用され、上記ＭＲＩのギャップに設置された器具を用いて使用される。一般的に、複数の導体、もしくは放射状に方向付けされた複数の導体の集合は、ギャップ内に設置された任意の器具において誘導される複数の渦電流を減少させるために、ＭＲＩのギャップから離して移動される。直接的に冷却する一次傾斜コイル及び遮蔽コイルのための複数のシステムが利用され、種々のコイル支持構造がコイルの位置合わせにおいて支援し、もしくはＭＲＩギャップにおける器具の使用を容易化するために使用される。
2013511361.tif 000002
【特許請求の範囲】
【請求項１】
器具とともに使用される水平オープン磁気共鳴イメージングシステム（ＭＲＩ）のための自己遮蔽型傾斜コイル集合体であって、上記オープンＭＲＩは長手方向の軸並びにギャップにより分離された第１の磁石及び第２の磁石を有し、上記器具は上記ギャップの部分内に位置し、
上記自己遮蔽型傾斜コイル集合体は、
第１の部分及び第２の部分を有する支持構造を備え、
上記各支持構造部分は、それぞれ第１及び第２のＭＲＩ磁石の内側に装着され、
上記自己シールド傾斜コイル集合体は、
上記各支持構造部分内に配置された複数の遮蔽コイルと、
上記複数の遮蔽コイルと上記長手方向の軸との間の上記各支持構造部分内に配置された複数の一次傾斜コイルと、
上記一次傾斜コイルと上記遮蔽コイルとの間に設けられた複数の電気的接続とを備え、
上記複数の電気的接続は、上記ギャップから十分な距離で位置し、上記器具において誘導された複数の渦電流を減少させることを特徴とする自己遮蔽型傾斜コイル集合体。
【請求項２】
上記一次傾斜コイルと上記遮蔽コイルとの間に設けられた上記複数の電気的接続は、上記ギャップから少なくとも５センチメータにおいて位置することを特徴とする請求項１記載の自己遮蔽型傾斜コイル集合体。
【請求項３】
上記各一次傾斜コイルは実質的に、上記長手方向の軸の周りの複数の円筒型導体として形成されたことを特徴とする請求項１記載の自己遮蔽型傾斜コイル集合体。
【請求項４】
上記各一次傾斜コイルは直接的に冷却されたことを特徴とする請求項１記載の自己遮蔽型傾斜コイル集合体。
【請求項５】
上記各一次傾斜コイルは、中空導体を備えたことを特徴とする請求項４記載の自己遮蔽型傾斜コイル集合体。
【請求項６】
２つの冷却ユニットをさらに備えたことを特徴とする請求項５記載の自己遮蔽型傾斜コイル集合体。
【請求項７】
上記ＭＲＩは複数の外端を有し、上記一次傾斜コイルと上記遮蔽コイルとの間の上記複数の電気的接続は実質的に、上記ＭＲＩの上記複数の外端において位置することを特徴とする請求項１記載の自己遮蔽型傾斜コイル集合体。
【請求項８】
上記ＭＲＩは複数の外端とギャップに対向する複数の端とを有し、上記各支持構造部分は、上記ＭＲＩの上記複数の外端と、上記ギャップに対向する複数の端との両方において装着されたことを特徴とする請求項１記載の自己遮蔽型傾斜コイル集合体。
【請求項９】
水平オープン磁気共鳴イメージングシステム（ＭＲＩ）のための自己遮蔽型傾斜コイル集合体であって、上記オープンＭＲＩは長手方向の軸並びにギャップにより分離された第１の磁石及び第２の磁石を有し、
上記自己遮蔽型傾斜コイル集合体は、
第１の部分及び第２の部分を有する支持構造を備え、
上記各支持構造部分は、それぞれ第１のＭＲＩ磁石及び第２のＭＲＩ磁石の内側に装着され、
上記自己遮蔽型傾斜コイル集合体は、
上記各支持構造部分内に配置された複数の遮蔽コイルを備え、
上記複数の遮蔽コイルは実質的に、上記長手方向の軸の周りの複数の円筒型導体として形成され、
上記自己遮蔽型傾斜コイル集合体は、
上記複数の遮蔽コイルと上記長手方向の軸との間の上記各支持構造部分内に配置された複数の一次傾斜コイルを備え、
上記複数の一次傾斜コイルは実質的に、上記複数の長手方向の軸の周りの複数の円筒型導体として形成され、
上記自己遮蔽型傾斜コイル集合体は、
上記一次傾斜コイルと上記遮蔽コイルとの間の複数の接続導体を備え、
上記長手方向の軸に対して放射状方向に方向付けされた上記複数の導体の集合が上記ギャップから少なくとも５センチメータにおいて位置するように、上記一次傾斜コイルと、上記遮蔽コイルと、上記複数の接続導体とが配置されたことを特徴とする自己遮蔽型傾斜コイル集合体。
【請求項１０】
上記各一次傾斜コイルは、直接的に冷却された中空導体を備えたことを特徴とする請求項９記載の自己遮蔽型傾斜コイル集合体。
【請求項１１】
上記ＭＲＩは複数の外端を有し、上記一次傾斜コイルと上記遮蔽コイルとの間の上記複数の接続導体は実質的に、上記ＭＲＩの上記複数の外端に位置することを特徴とする請求項９記載の自己遮蔽型傾斜コイル集合体。
【請求項１２】
上記ＭＲＩは複数の外端及びギャップに対向する複数の端を有し、上記各支持構造部分は上記ＭＲＩの上記複数の外端及び上記ギャップに対向する複数の端の両方で装着されることを特徴とする請求項９記載の自己遮蔽型傾斜コイル集合体。
【請求項１３】
水平オープン磁気共鳴イメージングシステム（ＭＲＩ）のための自己遮蔽型傾斜コイル集合体であって、上記オープンＭＲＩは長手方向の軸並びにギャップにより分離された第１の磁石及び第２の磁石を有し、
上記自己遮蔽型傾斜コイル集合体は、
第１の部分と第２の部分を有する支持構造を備え、
上記各支持構造部分は、それぞれ第１のＭＲＩ磁石及び第２のＭＲＩ磁石の内側に装着され、
上記自己遮蔽型傾斜コイル集合体は、
上記各支持構造部分内に配置された複数の遮蔽コイルと、
上記複数の遮蔽コイルと上記長手方向の軸との間の上記各支持構造部分内に配置された複数の一次傾斜コイルと、
上記ギャップから少なくとも５センチメータに位置し、上記一次傾斜コイルと上記遮蔽コイルとの間の複数の電気的接続とを備え、
上記各一次傾斜コイルは、直接的に冷却された中空導体を備えたことを特徴とする自己遮蔽型傾斜コイル集合体。
【請求項１４】
水平オープン磁気共鳴イメージングシステム（ＭＲＩ）のための傾斜コイル集合体であって、上記オープンＭＲＩは長手方向の軸並びにギャップにより分離された第１の磁石及び第２の磁石を有し、
上記傾斜コイル集合体は、
上記第１の磁石と上記長手方向の軸との間に位置する複数の第１の遮蔽コイルと、
上記第２の磁石と上記長手方向の軸との間に位置する複数の第２の遮蔽コイルと、
上記複数の第１の遮蔽コイルと上記長手方向の軸との間に位置する複数の第１の一次傾斜コイルと、
上記複数の第２の遮蔽コイルと上記長手方向の軸との間に位置する複数の第２の一次傾斜コイルと、
上記複数の第１の遮蔽コイル及び上記複数の第２の遮蔽コイル並びに上記複数の第１の一次傾斜コイル及び上記複数の第２の一次傾斜コイルのすべてを含む支持構造とを備え、
上記支持構造は、上記複数の第１のコイル及び上記複数の第２のコイルの位置合わせを容易化するために上記ギャップを横切る部分を含むことを特徴とする傾斜コイル集合体。
【請求項１５】
上記ギャップを横切る上記支持構造の上記部分は、内部形成物を備えたことを特徴とする請求項１４記載の傾斜コイル集合体。
【請求項１６】
上記ギャップを横切る上記支持構造の上記部分は、上記構造にわたって均一な放射線減衰値を有することを特徴とする請求項１４記載の傾斜コイル集合体。
【請求項１７】
上記放射線減衰値は、コバルト６０ガンマ放射線ビームに対して５パーセント以下であることを特徴とする請求項１６記載の傾斜コイル集合体。
【請求項１８】
水平オープン磁気共鳴イメージングシステム（ＭＲＩ）及び器具を用いた使用のための傾斜コイル集合体であって、上記オープンＭＲＩは長手方向の軸及びギャップにより分離された複数の磁石を有し、上記器具は上記長手方向の軸に対して垂直にかつ上記ギャップを通って放射された放射線ビームを発生させる放射線装置を含み、
上記傾斜コイル集合体は、
上記複数の磁石と上記長手方向の軸との間に少なくとも部分的に位置する複数の遮蔽コイルと、
上記複数の遮蔽コイルと上記長手方向の軸との間に少なくとも部分的に位置する複数の一次傾斜コイルとを備え、
上記複数の一次傾斜コイルのうちの少なくとも１つは上記オープンＭＲＩの上記ギャップを横切って、そして第１の放射線減衰値を有し、
上記傾斜コイル集合体は、
上記複数の遮蔽コイルと上記複数の一次傾斜コイルとを含む支持構造を備え、
上記支持構造は上記ギャップを横切る部分を有し、上記放射線ビームの減衰が上記支持構造部分及び上記ギャップを横切る少なくとも１つの傾斜コイルを通過するにつれて実質的に均一となるように、上記第１の放射線減衰値に対して実質的に等しい第２の放射線減衰値を有することを特徴とする傾斜コイル集合体。
【請求項１９】
上記ギャップを横切る少なくとも１つの一次傾斜コイルはアルミニウムであることを特徴とする請求項１８記載の傾斜コイル集合体。
【請求項２０】
上記ギャップを横切る上記支持構造の上記部分にアルミナを含浸させたことを特徴とする請求項１９記載の傾斜コイル集合体。
【発明の詳細な説明】
【技術分野】
【０００１】
本発明は、磁気共鳴イメージング（“ＭＲＩ”）のためのシステム及び方法に関し、特に傾斜コイル集合体並びにそれらの製造及び磁器共鳴イメージングシステムを用いた使用のための方法に関する。
【０００２】
関連出願の相互参照
この出願は、２００９年１１月２０日出願の発明の名称“自己遮蔽型分割傾斜コイル”を有する米国仮出願第６１／２６３，２８０号の利益を主張し、その出願は参照によりここに組み込まれる。
【背景技術】
【０００３】
磁気共鳴イメージング、もしくは核磁気共鳴イメージングは主として、人体の内部構造及び機能を視覚化するために放射線医学において最も一般的に使用される医療のイメージング技術である。ＭＲＩは、例えば、非特許文献１により説明され、参照によりここに組み込まれる。本開示は、磁気共鳴に関し、特に水平（ソレノイド磁気）ＭＲＩに関する。それは、医療磁気共鳴イメージングとともに特定の応用を見出し、それらに対する特定の参照を用いて説明されるであろう。しかしながら、当該開示はまた、他の複数のタイプの磁気共鳴イメージングシステムや磁気共鳴分光システムなどとともに応用が見出されることが認識されるべきである。
【０００４】
磁気共鳴イメージングにおいて、複数の線形磁場傾斜が空間符号化のために使用される。複数の傾斜コイルが、これらの複数の線形磁場傾斜を発生させるために使用される。典型的な複数の水平ＭＲＩは、装置の長さにわたる複数の水平円筒型の傾斜コイル集合体を有する。複数の水平「オープン」ＭＲＩは、閉所恐怖症の患者のために開発された。複数のオープンＭＲＩは、中心にギャップを有する分割の主磁石を有し、典型的には当該患者のために障害物のない開口を提供するために複数の分割傾斜コイルもまた有する。より最近は、例えば複数の放射線治療装置、複数の生体検査、複数のアブレーション装置、複数の外科用装置、超音波、ＰＥＴ、ＳＰＥＣＴ、ＣＴなどの複数のＭＲＩ及び複数のオープンＭＲＩと組み合わせた種々の治療及び複数のイメージング撮像手段を含むことが望まれるようになった。例えば、オープンＭＲＩのギャップ領域内にそのような複数の器具を載置することが望まれるであろう。
【先行技術文献】
【特許文献】
【０００５】
【特許文献１】米国特許出願公開第２００５／０，１９７，５６４号明細書
【非特許文献】
【０００６】
【非特許文献１】Ｅ．ＭＡＲＫ  ＨＡＡＣＫＥ  ＥＴ  ＡＬ．，  “ＭＡＧＮＥＴＩＣ  ＲＥＳＯＮＡＮＣＥ  ＩＭＡＧＩＮＧ，”ＰＨＹＳＩＣＡＬ  ＰＲＩＮＣＩＰＬＥＳ  ＡＮＤ  ＳＥＱＵＥＮＣＥ  ＤＥＳＩＧＮ（Ｗｉｌｅｙ−Ｌｉｓｓ  １９９９）．
【発明の概要】
【発明が解決しようとする課題】
【０００７】
しかしながら、傾斜コイルの近くの複数の導体を加熱する問題のみならず、ＭＲＩの動作に関連する種々の複数の磁場からの干渉のためこの配置による複数の問題が存在する。
【０００８】
従って、改良された複数のＭＲＩ傾斜コイル集合体及び当該ＭＲＩ傾斜コイル集合体を製造する複数の方法の必要性が存在する。さらに、複数の水平オープンＭＲＩのための改良された複数の傾斜コイル集合体、及び追加的な複数の医療装置とともに水平オープンＭＲＩの動作を可能とする複数の傾斜コイル集合体の必要性が存在する。
【課題を解決するための手段】
【０００９】
複数の傾斜コイル集合体並びにそれらの製造及び複数の水平ＭＲＩ内の使用のための複数の方法が開示される。いくつかの複数の実施態様は、そのギャップ内に置かれたオープンＭＲＩと器具とともに使用されてもよい。ここに開示された複数の傾斜コイル集合体の複数の実施態様は、一次傾斜コイル及び遮蔽コイルを含んでもよく、また、ギャップ内に置かれた任意の器具において誘導される複数の渦電流を減少させるために、オープンＭＲＩのギャップから十分な距離となるように設けられてもよい、一次傾斜コイルと遮蔽コイルとの間の複数の電気的接続を含んでもよい。
【００１０】
いくつかの複数の実施態様において、一次傾斜コイルと遮蔽コイルは実質的に、複数の円筒型導体として形成されてもよい。
【００１１】
さらに別の複数の実施態様において、放射状方向に方向付けされた複数の導体の集合（ｃｏｎｃｅｎｔｒａｔｉｏｎ）が少なくともオープンＭＲＩのギャップから５センチメータにおいて位置するように、集合体内の複数の導体は配置される。
【００１２】
別の複数の実施形態において、一次傾斜コイルと遮蔽コイルとを接続する複数の電気的接続もしくは複数の導体は、ギャップから少なくとも５センチメータにおいて位置してもよいし、もしくはＭＲＩの複数の外端において位置する。
【００１３】
いくつかの複数の実施態様において、各一次傾斜コイルは直接的に冷却されてもよく、各一次傾斜コイルはまた、中空導体であってもよい。
【００１４】
いくつかの複数の実施態様において、傾斜コイル集合体はＭＲＩの複数の外端及びギャップに対向する複数の端との両方に装着されてもよい。
【００１５】
オープンＭＲＩとともに使用された、本開示の別の複数の実施態様において、ここに開示された複数の傾斜コイル集合体は、複数の一次傾斜コイルと複数の遮蔽コイルのすべてを含み、複数のコイルの位置合わせが容易化されるように、オープンＭＲＩのギャップを横切る部分を有する支持構造を含んでもよい。
【００１６】
いくつかの複数の実施態様において、ギャップを横切る支持構造の部分が内部形成物であってもよい。
【００１７】
別の複数の実施態様において、ギャップを横切る支持構造の部分は、当該構造にわたって均一である放射線減衰値を有してもよく、またコバルト６０ガンマ放射線ビームに対して５パーセント以下の放射線減衰値を有してもよい。
【００１８】
オープンＭＲＩ及び当該オープンＭＲＩのギャップを通過するように放射された放射線ビームとともに使用された、本開示のいくつかの実施態様において、ここに開示された複数の傾斜コイル集合体は、オープンＭＲＩのギャップを横切る複数の一次傾斜コイルのうちの少なくとも１つの一次傾斜コイルを有してもよく、ここで、少なくとも１つのコイルは第１の放射線減衰値を有し、その集合体はまた、ギャップを横切る支持構造を含みかつ第１の放射線減衰値と実質的に等しい第２の放射線減衰値を有する。その結果、放射線ビームの減衰はそれが支持構造及びギャップを横切る少なくとも１つの傾斜コイルを通過するにつれて実質的に均一になるであろう。
【００１９】
いくつかの複数の実施態様において、ギャップを横切る少なくとも１つの一次傾斜コイルはアルミニウムであってもよい。さらに別の複数の実施態様において、ギャップを横切る支持構造の部分にアルミナを含浸させてもよい。
【００２０】
本開示のこれらの及び他の複数の特徴、複数の態様、及び複数の利点は、以下の説明及び特許請求の範囲を参照してより理解されるであろう。
【００２１】
本開示の複数の特徴、複数の態様、及び複数の実施態様が、添付した複数の図面とともに説明される。
【図面の簡単な説明】
【００２２】
【図１】本開示のいくつかの複数の実施形態を用いて使用されるように、その中心のギャップ領域に位置する器具を有する水平オープンＭＲＩの斜視図を図示する。
【図２】図１に図示されたシステムのいくつかの複数の実施形態の簡単化された断面図を図示する。
【図３】図２に図示された傾斜コイル集合体のいくつかの複数の実施形態の簡単化されかつ拡大された断面図を図示する。
【図４】図２に図示された傾斜コイル集合体の代わりの実施形態の簡単化されかつ拡大された断面図を図示する。
【図５Ａ】Ｘ傾斜一次コイルの実施形態の簡単化されたレイアウトを図示する
【図５Ｂ】図５Ａに図示されたＸ傾斜一次コイルの実施形態を用いて使用された導体の実施形態の断面図を図示する。
【図５Ｃ】図５Ａに図示されたＸ傾斜一次コイルの実施形態の広げられた１つの象限に対する複数の電流パスのチャートを図示する。
【図６Ａ】Ｘ傾斜遮蔽コイルの実施形態の簡単化されたレイアウトを図示する。
【図６Ｂ】図６Ａに図示されたＸ傾斜遮蔽コイルの実施形態を用いて使用された導体の実施形態の断面図を図示する。
【図６Ｃ】図６Ａに図示されたＸ傾斜遮蔽コイルの実施形態の広げられた１つの象限に対する複数の電流パスのチャートを図示する。
【図７Ａ】Ｙ傾斜一次コイルの実施形態の簡単化されたレイアウトを図示する。
【図７Ｂ】図７Ａに図示されたＹ傾斜一次コイルの実施形態を用いて使用された導体の実施形態の断面図を図示する。
【図７Ｃ】図７Ａに図示されたＹ傾斜一次コイルの実施形態の広げられた１つの象限に対する複数の電流パスに対するチャートを図示する。
【図８Ａ】Ｙ傾斜遮蔽コイルの実施形態の簡単化されたレイアウトを図示する。
【図８Ｂ】図８Ａに図示されたＹ傾斜遮蔽コイルの実施形態を用いて使用された導体の実施形態の断面図を図示する。
【図８Ｃ】図８Ａに図示されたＹ傾斜遮蔽コイルの実施形態の広げられた１つの象限に対する複数の電流パスのチャートを図示する。
【図９Ａ】Ｚ傾斜一次コイルの実施形態の簡単化されたレイアウトを図示する。
【図９Ｂ】図９Ａに図示されたＺ傾斜一次コイルの実施形態を用いて使用された導体の実施形態の断面図を図示する。
【図９Ｃ】図９Ａに図示されたＺ傾斜一次コイルの実施形態の半分に対する軸上の位置の複数の電流パスのチャートを図示する。
【図１０Ａ】Ｚ傾斜遮蔽コイルの実施形態の簡単化されたレイアウトを図示する。
【図１０Ｂ】図１０Ａに図示されたＺ傾斜遮蔽コイルの実施形態を用いて使用された導体の実施形態の断面図を図示する。
【図１０Ｃ】図１０Ａに図示されたＺ傾斜遮蔽コイルの実施形態の半分に対する軸上の位置の複数の電流パスのチャートを図示する。
【発明を実施するための形態】
【００２３】
本開示の傾斜コイル集合体は、任意のタイプの水平磁気共鳴イメージング（ＭＲＩ）システムを用いて使用されてもよい。特に、それは２つの半分の水平ＭＲＩ磁石の間のギャップを含む分割ソレノイド、もしくは水平「オープン」ＭＲＩを用いた使用のために十分に適合される。さらに、ここで開示された複数の傾斜コイル集合体は、そのギャップ内で動作される追加の医療器具を用いて使用される水平オープンＭＲＩを用いた使用のために十分に適合される。図１は、ギャップ領域１０２を有する水平オープンＭＲＩ１００を有するそのような装置を図示する。器具１０４は、構台１１０上のギャップ領域１０２に装着される。また、患者１０６及び患者ベッド１０８が図示される。いくつかの複数の実施形態において、構台１１０は、患者１０６の周りに（すなわち、図１に図示されたＺ軸の周りに）器具１０４を再配置するために使用される。
【００２４】
図１の実施形態は、特許文献１の一部において説明された、譲受人の現在の出願人であるビューレイ・インコーポレイテッド（ＶｉｅｗＲａｙ，  Ｉｎｃ．）のシステムの複数の構成要素を含めることができ、当該特許文献１が参照によりここに組み込まれる。例えば、器具１０４は、放射線治療装置及び関連するマルチリーフコリメータ（ＭＬＣ）が備えられ、第１のイメージング水平オープンＭＲＩと組み合わせて、特許文献１に説明されるように、治療中に目標となる場所を明らかにする改良された放射線治療を可能とする。１つの集合体だけが図１の器具１０４として図示される一方で、いくつかの複数の実施形態は、器具１０４と関連する複数の集合体を含むことができる。例えば、いくつかの複数の実施形態は、Ｚ軸の周りに分布されたギャップ１０２に装着され、構台１１０上のＺ軸の周りに回転可能な（図１に図示されない）３つの放射線ヘッド集合体を含んでもよい。ここで開示された複数の実施形態のいくつかの複数の態様が特許文献１により開示されたビューレイシステムに関して説明される一方で、そのような複数の態様は開示された傾斜コイル集合体を用いた使用のためには必要とされない。ここで開示された傾斜コイル集合体は、関連する器具１０４の使用を用いて、もしくは用いないで、任意のタイプのＭＲＩにおいて使用されてもよい。さらに、器具１０４を利用する複数のシステムのために、そのような複数の器具は、例えば複数の放射線源、もしくはＬＩＮＡＣなどの複数の放射線治療装置に限定されないが、ＭＲＩを用いて使用された任意のタイプの器具を含むことができる。
【００２５】
図２は、図１に図示されたシステムの断面図である。図２の実施形態は、ギャップ１０２により分離された、一対の主磁石２００ａ及び２００ｂを含む水平オープンＭＲＩ１００を図示する。ＭＲＩは、患者ベッド１０８上方のインタレスト２０２の領域を画像化するために使用される。ＭＲＩ１００は、図示されない、例えば複数のＲＦコイルと潜在的に１つのもしくはそれ以上のシムコイルとを含むＲＦシステムなどの追加的な従来の複数の構成要素を含むことができる。複数の図面において及びこの開示を通して使用された座標系は、ＭＲＩボアを通り抜ける長手方向の軸をＺ軸と呼ぶ。Ｘ軸はＺ軸に対して垂直にかつＭＲＩ１００の左右に延在し、Ｙ軸はＺ軸に対して垂直にかつＭＲＩ１００のボトムからトップに延在する。
【００２６】
ここで開示された傾斜コイル集合体２０４の実施形態は、以下に詳細説明された、その関連する冷却機２０６ａ，ｂと増幅器２０８と一緒に図２に図示される。この実施形態において、ＭＲＩギャップ近くのみならず複数の主磁石の両外端において位置する複数の架台２１２により支持される。例示的な複数の架台は、例えばエアロテクノロジーズの部門であるＥ−Ａ−Ｒスペシャリティコンポジットにより販売されたＩｓｏＤａｍｐ（登録商標）Ｃ１００２などの複数の振動分離装置である。傾斜コイル集合体２０４は、主磁石２００ａ，ｂに対して直接的に装着されてもよい。しかしながら、（主磁石２００ａ，ｂにより発生された）主磁場の存在している中の傾斜コイル集合体２０４における電流は、複数のトルクと、複数の力と、主磁石２００ａ，ｂの中に振動及び加熱を駆動させてボイルオフを増加させることができる複数の振動とを作り出す。主磁石２００ａ，ｂの外端とギャップ端との両方における複数の架台２１２の包含により、改良された振動分離を提供して傾斜コイル集合体２０４の支持されない範囲（スパン）を減少させることができる。
【００２７】
図３は、傾斜コイル集合体２０４の実施形態の拡大された、より詳細な断面図を図示する。傾斜コイル集合体２０４のこの実施形態は、Ｘ，Ｙ及びＺ遮蔽コイル（それぞれに３００，３０２，３０４）並びにＺ，Ｘ及びＹ一次傾斜コイル（それぞれに３０６，３０８，３１０）を含む。また、当該実施形態は、（ギャップ１０２から離れた）傾斜コイル集合体２０４の複数の外端に位置する（Ｘ遮蔽コイル３００をＸ一次コイル３１０に接続し、Ｙ遮蔽コイル３０２をＹ一次コイル３０８に接続し、Ｚ遮蔽コイル３０４をＺ一次コイル３０６に接続する）各それぞれのコイルのペア間の複数の接続部３１２を含む。コイル３００−３１０は、例えばエポキシ樹脂などの材料から作られてもよい支持構造３１４内に配置される。
【００２８】
実施例として、この実施形態のいくつかの複数の実装において、約２００ミリの幅で、傾斜コイル集合体２０４の複数の外端間の長さが約２１９０ミリであるギャップ１０２を有するＭＲＩと組み合わせて、傾斜コイル集合体２０４の内径を約８００ミリとすることができ、外径を約１０４４ミリとすることができる。これらの複数の寸法は、単なる実施例として提供され、複数の寸法は変化させてもよいので、限定するものと考えるべきでない。
【００２９】
開示された傾斜コイル集合体２０４は、患者１０６に対して制約されない物理的な接近のためにギャップ１０２を開いた状態のままとするために、２つの分離した半分として形成されてもよい。そのようなオープンの構成は、例えば放射線治療システムなどの追加的な器具１０４を用いた使用を可能とする。しかしながら、任意の障害が、例えば器具１０４から放射されてもよい放射線ビームなどの過剰な減衰を結果として生じさせない限り、ギャップ１０２が完全にオープンの状態のままとする必要はない。本実施形態において、傾斜コイル集合体２０４は、支持構造３１４のギャップ部分３１６を有する単一の構造物を有する。ギャップ部分３１６は、ギャップ１０２を横切り、（例えば、コバルト６０ガンマ放射線源が使用された場合は５パーセント以下である）均一かつ最小限の放射線減衰のために構成された薄い、均一な構造である。好ましい実施形態において、ギャップ部分３１６は、例えばエポキシ繊維ガラスもしくはエポキシ炭素繊維構造などの、放射線環境内で安定した材料から作られる連続的な内部形成物の一部分である。その厚さは、例えば約５ミリとすることができ、その密度は、例えば２ｇ／ｃｍ３以下もしくはそれと同等とすることができる。
【００３０】
この連続的な構造物の１つの利点は、傾斜コイル集合体２０４の複数の反対側が必然的に位置合わせされ、面倒な２つの部分傾斜の位置合わせの問題と、関連する非対称の複数の渦電流と、複数の画像磁場とを取り除くことである。本実施形態のもう１つの利点は、改良された機械的なダンピングとサポート（支持）とにあり、動作中に複数の傾斜コイルにより経験された複数の力と複数のトルクとを機械的にバランスをとって安定化させることである。ギャップ部分３１６はそれに切り込みを入れられた複数のアクセスポートが備えられるか、もしくは傾斜コイル集合体２０４の設置の後に除去される、と考えられる。
【００３１】
図４は、ギャップ１０２を横切る複数の傾斜コイルを含む、支持構造４００のギャップ部分に対する代わりの実施形態を図示する。複数のＺ傾斜コイルには必然的にギャップが形成されるが、この実施形態において、一次Ｘコイル３０８及び一次Ｙコイル３１０は、ギャップ１０２を横切って連続的とすることができ、例えばアルミニウムにてなる（例えば、直接的に冷却された複数のシートコイルもしくは複数の巻線導体など。）。アルミニウムは銅よりも低い密度を有する導体の例であり、従って、傾斜コイル集合体は、放射線治療を領域２０２に供給する器具１０４を用いて使用される複数の応用に有利となるであろう。この実施形態の重要な態様は、支持構造４００は、減衰が当該構造にわたって一致するように、包含された複数の導体の減衰を整合させる放射線減衰を有する、ということである。複数のアルミニウムコイルの場合において、支持構造４００は、例えばガラスもしくは炭素の複数のフィラメント及び例えば複数のコイル間のアルミナなどの複数の適切なフィラーを用いた、エポキシフィラメント巻線管を含むことができる。この代わりの設計の均一な減衰は、正確な放射線放射及び複数の線量計算を容易化させるであろう。
【００３２】
図４の代わりの実施形態は、その増加された厚さと複数の傾斜コイルの包含のために、（放射線治療装置を器具１０４として含むケースに対して）より大きなビーム減衰を有するであろう。しかしながら、この実施形態は、ＭＲＩの視界の使用可能な磁場を増加させることの利点を有する。その理由は、それは分割の設計と関連する傾斜磁場力の線形性の損失を経験しないであろうし、横断する複数の傾斜磁場の放射状のロールオーバの問題を回避するであろうからである。
【００３３】
いま、図３を参照して図５から図１０を見ると、傾斜コイル及び遮蔽コイルの特定の複数の実施形態がより詳細に説明されるであろう。本実施形態は、ギャップに利用された器具１０４を有する水平オープンＭＲＩを参照して説明されるが、当該開示の多くの複数の態様が関連する複数の器具なしに使用された１つの磁石のＭＲＩに適合化されてもよいことが理解される。本実施例の器具１０４は、例えば上述した放射線治療装置などとすることができるが、例えば複数の生体検査、複数のアブレーション装置、複数の外科用装置、超音波検査、ＰＥＴ、ＳＰＥＣＴ、ＣＴ、ＬＩＮＡＣなどの多数の他の治療撮像手段もしくはイメージング撮像手段が、本開示を用いて使用されてもよいことが理解される。
【００３４】
本実施例の放射線装置は、例えば特許文献１において開示されかつ参照によりここに組み込まれた、関連する複数のマルチリーフコリメータ（複数のＭＬＣ）を用いた、３つの均等に間隔が空けられたコバルト６０のヘッドを備える。複数のＭＬＣは典型的に、複数の放射線ビームの複数の部分をブロックして予め決定された治療プランに従ってそれらを成形して、特定の複数のパタンを形成するためにシフトする、コンピュータ制御された複数のタングステン箔から成る。これらのＭＬＣは好ましくは、ギャップ１０２に接近して設置されるか、もしくは当該ギャップ１０２内に設置され、典型的には、両方が導電性材料である、アルミニウムハウジングを有するタングステンから作られる。そのような複数の材料が傾斜コイル集合体２０４の複数の電流を変化させる時間近辺に設置された場合は、複数の渦電流がそれらの中に誘導されるであろう。器具１０４内に誘導された複数の渦電流が装置における電力消費を結果として生じさせるであろうし、またイメージング（撮像）が妨害される。複数のＭＬＣのケースにおいて、加熱により個々の複数の箔の熱膨張を生じさせてそれらの動作を妨害するかもしれない。開示されたシステムを用いて使用されてもよい複数の導電性材料を含む他の複数の器具は、同様の複数の問題と直面するであろう。
【００３５】
本開示された傾斜コイル集合体２０４は、複数の導体の共通の複数の集合をギャップ１０２から話して移動させることにより、これらの複数の課題を減少させる。例えば、複数の水平分割傾斜において、傾斜から遮蔽に対する複数の相互接続は典型的に、ギャップ１０２に対向する複数の傾斜コイル集合体の隣接した複数の放射状表面に位置する。しかしながら、本開示された傾斜コイル集合体２０４は、そのような複数のコネクタ３１２をギャップ１０２から離して移動させる。例えば、複数のコネクタは好ましくは、ギャップ１０２から少なくとも５０ミリの間隔が空けられてもよいが、本開示は複数のコネクタはギャップ１０２から５０ミリよりも接近していてもよいことが考えられる。図３及び図４に図示された実施形態において、複数のコネクタ３１２は、傾斜コイル集合体２０４の複数の外端において位置する。放射状に方向付けされた複数の導体により作り出された電流の密度をギャップ１０２から離して移動させることは、任意の器具１０４において誘導された複数の渦電流を減少させるであろう。さらに、長手方向に方向付けされた複数の導体もしくは複数のループの複数の集合がギャップ１０２近くで最小限化され、複数の指紋コイルの複数のアイは好ましくは、ギャップ１０２から少なくとも５０ミリにおいて位置する。さらに、従来の複数の水平分割磁石の傾斜コイルはギャップ１０２の領域に沿って放射状に方向付けされた複数のループを含む一方で、本開示は好ましくは、任意のそのような放射状に方向付けされた複数の導体をギャップ１０２から少なくとも５０ミリ移動させる。図５から図１０において開示された例示的な複数の実施形態において、傾斜及び遮蔽コイルは実質的には円筒型形状である。円筒型形状が好まれる一方で、開示された複数のコイルは、ギャップ１０２近くに追加的な導体及び複数の電流密度を結果として生じさせない他の複数の形状とすることができる。
【００３６】
いま、図５Ａに図示された例示的なＸ傾斜一次コイル３０８を参照すると、当該コイルは、その同一の複数の象限のそれぞれにおいて、１１回の前方へのターンと２回の逆のターンとを含む。複数のターン間の複数の接続（例えば、複数のジャッグルなど。）は技術において一般的であるので図示されない。複数の電流パス（すべて１回のターン）の中心軌跡が図５Ｃに図示される。Ｘ傾斜一次コイル３０８は、推進力及びトルク力を補償するために、ギャップ１０２から離れたその複数の端における複数の逆のターンを含む。特にこの補償は、この実施形態の一部として説明された支持構造３１６（もしくは４００）の薄い、連続的なギャップ部分上の複数の力を減少させる。同様に、Ｙ傾斜コイル３１０は、図７Ａ及び図７Ｃに図示されるように、１１回の前方へのターン（巻き）及び２回の逆のターンを含む。この実施形態のＸ及びＹ傾斜（３００及び３０２）の両方に対する遮蔽コイルは、図６Ａ、図６Ｃ、図８Ａ及び図８Ｃに図示されるように、それらの同一の象限のそれぞれにおいて５回のターンを含む。この実施形態のＺ傾斜一次コイル（３０６）は、図９Ａ及び図９Ｃに図示されるように、全体で４２回のターンを有し、Ｚ傾斜遮蔽コイルは、図１０Ａ及び図１０Ｃに図示されるように、全体で２８回のターンを有する。ここで説明された例示的な複数のコイルのいくつかの複数の実装のための追加的な複数のパラメータが、以下の表１において詳細説明される。
【００３７】
【表１】
2013511361.tif 000003
【００３８】
１６ｍＴ／ｍの傾斜強度及び約２００ｍＴ／ｍ／ｍｓのスルーレートを含む、表１の複数のパラメータのオーダで性能仕様を満たすために、高電圧かつ大電流能力を有する電流ドライバが望ましい。本実施形態において、傾斜コイル集合体２０４は、他の複数の増幅器もしくは複数の増幅器が使用されるが、例えば６５０Ａの最大電流かつ２０００Ｖの最大電圧を送ることができるシーメンスＳＱ傾斜増幅器などの増幅器２０８を用いて駆動される。好ましくは、本開示の複数のコイルに存在する大電流と複数の電流密度は、各コイルのコアによる直接冷却により冷却される。本実施形態は、ＭＲＩ１００の各端において分離した冷却機（２０６ａ及び２０６ｂ）を利用し、各一次コイル及び遮蔽コイルが、図５Ｂ、図６Ｂ、図７Ｂ、図８Ｂ、図９Ｂ及び図１０Ｂにおいて断面が図示された中空コアを用いて作られる。この実施形態において、Ｘ及びＹ一次コイル並びに遮蔽コイルの断面の寸法を互いに同一にすることができ、例えば幅７ミリ、高さ５．１ミリであって、４．６ミリ×２．６ミリの内部サイズとなるように構成することができる。例示的なＺ一次コイル及び遮蔽コイルの寸法は、例えば６ミリの内径を有し８ミリ×８ミリのサイズで構成することができる。直接冷却が本実施例において使用される一方で、例えば間接冷却もしくは直接冷却と間接冷却との組み合わせなどの技術において知られた他の複数の冷却方法が使用されてもよい。
【００３９】
開示された複数の原理に従った種々の複数の実施形態が上述説明された一方で、それらは例示だけの方法により提示されたのであって、限定されないということが理解されるべきである。従って、１つのもしくは複数の発明の広さ及び範囲は、上述説明された例示的な複数の実施形態のいずれかにより限定されるべきでないが、この開示から公表する特許請求の範囲及びそれらの均等物に従ってだけに定義されるべきである。さらに、上述説明された複数の利点は、任意の発行された特許請求の範囲の、複数の利点のいずれかもしくはすべてを伴う複数のプロセス及び複数の構造に対する応用を制限することは意図されない。
【００４０】
さらに、セクションの冒頭説明は、この開示から公表されるかもしれないいくつかの複数の請求項において設定される１つのもしくは複数の発明を制限しないであろうし、特徴付けもしないであろう。特に、実施例の方法により、冒頭説明は「技術分野」と呼ぶのだけれど、かかる特許請求の範囲は、いわゆる技術分野を説明するためのこの冒頭説明のもとで選択された言語により制限されるべきでない。さらに、「背景技術」における技術説明は、技術がこの開示における任意の１つのもしくは複数の発明に対する従来技術であることの自白として解釈されるべきでない。「課題を解決するための手段」もまた、公表された特許請求の範囲において説明された１つのもしくは複数の発明の特徴として解釈されるべきでない。さらに、一般的にこの開示に対する任意の参照、もしくは単数における言語「発明」の使用は以下に説明された複数の請求項の範囲に関して任意の制限を意味することは意図されない。複数の発明は、この開示から公表する複数の請求項の複数の限定に従って説明されてもよく、従ってそれらにより保護される複数の請求項は、１つのもしくは複数の発明及びそれらの複数の均等物を定義する。
【図１】
2013511361.tif 000004
【図２】
2013511361.tif 000005
【図３】
2013511361.tif 000006
【図４】
2013511361.tif 000007
【図５Ａ】
2013511361.tif 000008
【図５Ｂ】
2013511361.tif 000009
【図５Ｃ】
2013511361.tif 000010
【図６Ａ】
2013511361.tif 000011
【図６Ｂ】
2013511361.tif 000012
【図６Ｃ】
2013511361.tif 000013
【図７Ａ】
2013511361.tif 000014
【図７Ｂ】
2013511361.tif 000015
【図７Ｃ】
2013511361.tif 000016
【図８Ａ】
2013511361.tif 000017
【図８Ｂ】
2013511361.tif 000018
【図８Ｃ】
2013511361.tif 000019
【図９Ａ】
2013511361.tif 000020
【図９Ｂ】
2013511361.tif 000021
【図９Ｃ】
2013511361.tif 000022
【図１０Ａ】
2013511361.tif 000023
【図１０Ｂ】
2013511361.tif 000024
【図１０Ｃ】
2013511361.tif 000025
【国際調査報告】
2013511361.tif 000026